(57)【要約】【課題】ロッドとジョイントの連結部分における歪みの残留を防止することを目的とする。【解決手段】連結機構４００は、長形のロッド主部１１とロッド主部１１の端部に取り付けられたロッド端部１３とを有するロッド１０と、ロッド１０を継ぐジョイント２０とを連結する。ジョイント２０は、ロッド端部１３を取り付け、ロッド端部１３と接する球面状の当接面２１１が形成された取付部２１０を備える。ロッド端部１３は、一端部がロッド主部１１の端部にねじ込まれており、他端部に当接面２１１と接する球面状の接合面３２１が形成された接合部１３２を備える。【選択図】図５
2020160355.tif 000002
【特許請求の範囲】
【請求項１】
長形のロッド主部と前記ロッド主部の端部に取り付けられたロッド端部とを有するロッドと、前記ロッドを継ぐジョイントとを連結する連結機構において、
前記ジョイントは、
前記ロッド端部を取り付ける取付部であって、前記ロッド端部と接する球面状の当接面が形成された取付部を備え、
前記ロッド端部は、
一端部が前記ロッド主部の端部にねじ込まれており、他端部に前記当接面と接する球面状の接合面が形成された接合部を備えた連結機構。
【請求項２】
前記連結機構は、
前記ロッド端部の前記接合部と前記ジョイントの前記取付部とを連結するジョイントコネクタを備え、
前記ジョイントコネクタは、
前記接合部に形成された貫通孔を貫通した状態で、前記取付部に止められるコネクタ連結部と、前記貫通孔の縁部で止まるコネクタ頭部とを備え、
前記ロッド端部は、
前記貫通孔の縁部と前記コネクタ頭部との間に球面ワッシャを備えた請求項１に記載の連結機構。
【請求項３】
前記取付部には、前記コネクタ連結部が挿入される連結孔が形成されており、
前記連結孔の径は、前記コネクタ連結部の径より大きい請求項２に記載の連結機構。
【請求項４】
前記貫通孔の径は、前記コネクタ連結部の径より大きい請求項２または請求項３に記載の連結機構。
【請求項５】
前記ロッドと前記ジョイントとは、前記当接面と前記接合面とが摺動自在に取り付けられている請求項１から請求項３のいずれか１項に記載の連結機構。
【請求項６】
反射鏡を構成する複数の分割鏡の各々と、
前記複数の分割鏡の各々を傾動自在に支持台に取り付ける支持ユニットと
を備え、
前記支持ユニットは、
請求項１から請求項４のいずれか１項に記載の連結機構により連結された前記ロッドと前記ジョイントとを備え、
前記ロッドは、
一方の端部が前記ジョイントに連結されており、他方の端部が前記複数の分割鏡の各々の裏面に取り付けられ、
前記ジョイントは、前記支持台に固定されている反射鏡装置。
【発明の詳細な説明】
【技術分野】
【０００１】
本発明は、連結機構および反射鏡装置に関する。特に、人工衛星といった宇宙航行体に搭載される反射鏡を支持するロッドとジョイントとの連結機構に関する。
【背景技術】
【０００２】
近年、人工衛星といった宇宙航行体に搭載される反射鏡の大型化が進んでいる。非特許文献１には、複数の分割鏡をあたかも１枚の鏡のように組み合わせる技術が開示されている。複数の分割鏡を組み合わせる際には、複数の分割鏡の微調整が可能となるように粗調整する必要がある。
【先行技術文献】
【非特許文献】
【０００３】
【非特許文献１】Ｃｒｙｏｇｅｎｉｃ  Ｎａｎｏ−Ａｃｔｕａｔｏｒ  ｆｏｒ  ＪＷＳＴ  Ｒｏｂｅｒｔ  Ｍ．  Ｗａｒｄｅｎ
【発明の概要】
【発明が解決しようとする課題】
【０００４】
非特許文献１では、歪みに対する対策が十分ではなく、分割鏡を支持するロッドの長さを粗調整した場合に、ロッドとジョイントとの連結部分に歪みが残留する虞がある。また、分割鏡を支持するロッドとジョイントとの連結部分に歪みが残留することにより、反射鏡の鏡面精度が低下する虞がある。
【０００５】
本発明は、主に、分割鏡を支持するロッドとジョイントとの連結部分における歪みの残留を防止することを目的とする。
【課題を解決するための手段】
【０００６】
本発明に係る連結機構は、長形のロッド主部と前記ロッド主部の端部に取り付けられたロッド端部とを有するロッドと、前記ロッドを継ぐジョイントとを連結する連結機構において、
前記ジョイントは、
前記ロッド端部を取り付ける取付部であって、前記ロッド端部と接する球面状の当接面が形成された取付部を備え、
前記ロッド端部は、
一端部が前記ロッド主部の端部にねじ込まれており、他端部に前記当接面と接する球面状の接合面が形成された接合部を備えた。
【発明の効果】
【０００７】
本発明に係る連結機構では、ジョイントは、ロッド端部と接する球面状の当接面が形成された取付部を備える。また、ロッド端部は、一端部がロッド主部の端部にねじ込まれており、他端部に当接面と接する球面状の接合面が形成された接合部を備える。このように、本発明に係る連結機構によれば、球面状の当接面と球面状の接合面が接しているので、当接面と接合面とが摺動することにより、ロッドとジョイントとの連結部分の歪みを吸収し、ロッドとジョイントとの連結部分における歪みの残留を防止することができる。
【図面の簡単な説明】
【０００８】
【図１】実施の形態１に係る反射鏡の例を示す模式図。
【図２】実施の形態１に係る反射鏡装置の斜視図。
【図３】実施の形態１に係るロッドとジョイントの外観図。
【図４】図３におけるＡ部拡大図。
【図５】図４におけるＢ−Ｂ断面図。
【図６】実施の形態１に係る連結機構において歪みの吸収を示す図。
【発明を実施するための形態】
【０００９】
以下、本実施の形態について、図を用いて説明する。各図中、同一または相当する部分には、同一符号を付している。実施の形態の説明において、同一または相当する部分については、説明を適宜省略または簡略化する。また、以下の図では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品の配置、方向、および、向きを限定するものではない。
【００１０】
実施の形態１．
＊＊＊構成の説明＊＊＊
図１は、本実施の形態に係る反射鏡の例である反射鏡５００，５００ａを示す模式図である。
反射鏡５００，５００ａは、具体的には、人工衛星といった宇宙航行体に搭載される光学望遠鏡に使用される。図１に示すように、大型の反射鏡５００，５００ａは、複数の分割鏡１００，１００ａが組み合わされて、あたかも１枚の鏡のように形成される。
【００１１】
図２は、本実施の形態に係る反射鏡装置５１０の斜視図である。
反射鏡装置５１０は、反射鏡５００を構成する複数の分割鏡１００の各々と、複数の分割鏡１００の各々を傾動自在に支持台３００に取り付ける支持ユニット２００とを備える。
支持ユニット２００は、連結機構４００により連結されたロッド１０とジョイント２０とを備える。ロッド１０は、一方の端部がジョイント２０に連結されており、他方の端部が複数の分割鏡１００の各々の裏面に取り付けられている。ロッド１０は、具体的には、炭素繊維を強化材とする強化プラスチックにより形成されている。ジョイント２０は、支持台３００に固定されている。ジョイント２０は、ロッド１０を継ぐ部品である。ジョイント２０は、具体的には、スーパーインバーといった極低熱膨張合金により形成されている。
【００１２】
分割鏡１００の裏面とロッド１０との間には、分割鏡１００を微調整する微調整機構３１が設けられる。また、ロッド１０の両端部の各々には、分割鏡１００を粗調整する粗調整機構３２が設けられる。
【００１３】
支持ユニット２００は、６本のロッド１０により構成されたトラス構造を有する。分割鏡１００のアライメント調整には、ナノメータオーダーの駆動分解能を有する微調整が必要になる。また、微調整の前には、微調整のストローク内になるように粗調整が必要である。なお、アライメント調整とは、図１に示すＸ，Ｙ，Ｚ方向の並進方向（シフト３軸）の調整と、ＲＸ，ＲＹ，ＲＺ方向の回転方向（チルト３軸）の調整とが含まれる。
【００１４】
粗調整は、ロッド１０を粗調整機構３２により回転させることで、トラス構造を構成する節点間の長さ調整を行い、分割鏡ＳＵＢＡＳＳＹである反射鏡装置５１０のアライメント調整を可能にする。
【００１５】
図３は、本実施の形態に係るロッド１０とジョイント２０の外観図である。
図４は、図３におけるＡ部拡大図である。
図５は、図４におけるＢ−Ｂ断面図である。
図３から図５を用いて、本実施の形態に係るロッド１０とジョイント２０の連結機構４００について説明する。
【００１６】
連結機構４００は、ロッド１０とジョイント２０とを連結する機構である。
ロッド１０は、長形のロッド主部１１とロッド主部１１の端部に取り付けられたロッド端部１３とを有する。ロッド主部１１は円筒形を成し、両端部の各々にロッド端部１３がねじ込まれる。ロッド端部１３は、エンドフィッティングともいう。
【００１７】
ここで、粗調整機構３２について説明する。
粗調整機構３２は、ロッド１０の両端部の各々に設けられる。粗調整機構３２は、ロッド主部１１とロッド端部１３とのねじ機構により実現される。ロッド１０の一方の端部のねじ機構を右ねじ、ロッド１０の他方の端部のねじ機構を左ねじとする。あるいは、ねじ機構を差動ねじにより実現してもよい。
【００１８】
ロッド端部１３の一端部は、ロッド主部１１の端部にねじ込まれている。一端部とは、ロッド端部１３におけるロッド主部１１の側の端部である。ロッド端部１３の一端部には、ねじ部１３１が形成されている。
このように、ロッド端部１３がロッド主部１１にねじ込まれているので、ロッド主部１１を回転させることで、トラス構造を構成する節点間の長さ、すなわちロッド１０自体の長さの粗調整をすることができる。
その後、微調整機構３１により微調整をすることで、反射鏡装置５１０のアライメント調整が可能となる。
ロッド１０の長さ調整後は、ロッド主部１１とロッド端部１３とをナット１２で締結することにより固定する。
【００１９】
次に、連結機構４００について説明する。
ロッド端部１３は、他端部にジョイント２０の当接面２１１と接する球面状の接合面３２１が形成された接合部１３２を備える。他端部とは、ロッド端部１３におけるジョイント２０の側の端部である。
図４に示すように、ロッド端部１３には、後述するジョイントコネクタ１４の取り付け作業を行うための作業孔１３３が形成されている。そして、接合部１３２には、作業孔１３３のジョイント２０の側の面からジョイント２０に向かって、貫通孔３２２が形成される。貫通孔３２２は、ロッド１０の軸方向に沿って形成される。
【００２０】
ジョイント２０は、ロッド端部１３を取り付ける取付部２１０を備える。取付部２１０には、ロッド端部１３の接合部１３２と接する球面状の当接面２１１が形成されている。また、取付部２１０には、後述するコネクタ連結部１４２が挿入される連結孔２１２が形成されている。連結孔２１２は、当接面２１１からロッド１０の軸方向に沿って形成されている。連結孔２１２は、ロッド端部１３に形成された貫通孔３２２と連通する。
【００２１】
連結機構４００は、ロッド端部１３の接合部１３２とジョイント２０の取付部２１０とを連結するジョイントコネクタ１４を備える。
ジョイントコネクタ１４は、接合部１３２に形成された貫通孔３２２を貫通した状態で、取付部２１０に止められるコネクタ連結部１４２を備える。また、ジョイントコネクタ１４は、貫通孔３２２の縁部で止まるコネクタ頭部１４１を備える。つまり、ジョイントコネクタ１４は、コネクタ頭部１４１と、コネクタ頭部１４１から延びたコネクタ連結部１４２とを有する。
【００２２】
ロッド端部１３は、貫通孔３２２の縁部とコネクタ頭部１４１との間に球面ワッシャ３２３を備える。球面ワッシャ３２３は、２段に分割されており、分割面が球面（球面）を成すワッシャである。
【００２３】
次に、ロッド１０とジョイント２０との連結工程について説明する。
作業者は、ロッド１０の接合面３２１とジョイント２０の当接面とを当接させ、貫通孔３２２と連結孔２１２とを連通させる。そして、作業者は、作業孔１３３を介して、球面ワッシャ３２３を設置する。そして、作業者は、ジョイントコネクタ１４のコネクタ連結部１４２を球面ワッシャ３２３および貫通孔３２２を貫通させ、連結孔２１２に係り止める。
以上の連結工程により、ロッド１０とジョイント２０とが連結される。
【００２４】
＊＊＊本実施の形態の効果の説明＊＊＊
図６は、本実施の形態に係る連結機構４００において歪みが生じた際の構造を示す図である。
通常、支持ユニット２００に歪みが生じていない場合、図５に示すように、ロッド１０とジョイントコネクタ１４とジョイント２０とが、ロッド１０の軸方向に沿って略直線状に配置される。しかし、粗調整によりロッド１０の長さが変化すると、図６に示すように、ロッド１０とジョイントコネクタ１４とジョイント２０とが、略直線状に配置されずに歪みが生じる。
【００２５】
本実施の形態に係る連結機構４００では、ロッド１０とジョイント２０とは、当接面２１１と接合面３２１とが摺動自在に取り付けられている。すなわち、接合面３２１と当接面２１１とが滑らかな球面状で接しているので、摺動可能である。つまり、接合面３２１と当接面２１１とが滑らかに動くことが可能である。ここで、接合面３２１と当接面２１１とが滑らかな球面状で接している箇所を第１の摺動部４０１とする。
本実施の形態に係る連結機構４００では、第１の摺動部４０１を有しているので、ロッド１０とジョイント２０との歪みを吸収でき、歪みを残留させることがない。
【００２６】
また、本実施の形態に係る連結機構４００では、連結孔２１２の径は、コネクタ連結部１４２の径より大きい。また、貫通孔３２２の径は、コネクタ連結部１４２の径より大きい。よって、本実施の形態に係る連結機構４００によれば、図６に示すように、歪みにより、コネクタ連結部１４２の軸方向と、連結孔２１２あるいは貫通孔３２２の軸方向がずれた場合でも、そのずれを吸収することができる。
【００２７】
また、本実施の形態に係る連結機構４００では、貫通孔３２２の縁部とコネクタ頭部１４１との間に球面ワッシャ３２３を備える。球面ワッシャ３２３において分割面が滑らかな球面状で接している箇所を第２の摺動部４０２とする。本実施の形態に係る連結機構４００では、第２の摺動部４０２を有しているので、コネクタ頭部１４１が傾いた場合でも、そのずれを球面ワッシャ３２３により吸収することができる。よって、本実施の形態に係る連結機構４００によれば、図６に示すように、歪みにより、コネクタ頭部１４１が傾いた場合でも、そのずれを球面ワッシャ３２３により吸収することができる。
【００２８】
以上のように、本実施の形態に係る反射鏡装置は、粗調整機構により、ミリメートルオーダーの分割鏡のアライメント調整を実施しても歪が残留しない。また、ロッド主部とロッド端部とがナットで締結されているので、衛星打上荷重に耐えうるという効果がある。また、モーターといったアクチュエータを用いる必要がなく、簡素、かつ、安価に、粗調整機構によるアライメント調整が可能となる。
【００２９】
＊＊＊他の構成＊＊＊
本実施の形態では、主に、人工衛星に搭載される反射鏡に適用される連結機構について説明した。しかし、この連結機構は、ロッドとジョイントを有する構造体であれば適用可能である。
【００３０】
以上の実施の形態１のうち、複数の部分を組み合わせて実施しても構わない。あるいは、この実施の形態のうち、１つの部分を実施しても構わない。その他、この実施の形態を、全体としてあるいは部分的に、どのように組み合わせて実施しても構わない。
すなわち、実施の形態１では、各実施の形態の自由な組み合わせ、あるいは各実施の形態の任意の構成要素の変形、もしくは各実施の形態において任意の構成要素の省略が可能である。
【００３１】
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００３２】
１０  ロッド、１１  ロッド主部、１２  ナット、１３  ロッド端部、１４  ジョイントコネクタ、２０  ジョイント、３１  微調整機構、３２  粗調整機構、１００，１００ａ  分割鏡、１３１  ねじ部、１３２  接合部、１３３  作業孔、１４１  コネクタ頭部、１４２  コネクタ連結部、２００  支持ユニット、２１０  取付部、２１１  当接面、２１２  連結孔、３００  支持台、３２１  接合面、３２２  貫通孔、３２３  球面ワッシャ、４００  連結機構、４０１  第１の摺動部、４０２  第２の摺動部、５００，５００ａ  反射鏡、５１０  反射鏡装置。
【図１】
2020160355.tif 000003
【図２】
2020160355.tif 000004
【図３】
2020160355.tif 000005
【図４】
2020160355.tif 000006
【図５】
2020160355.tif 000007
【図６】
2020160355.tif 000008